(57)【要約】  データパスがコアネットワークを経由するセルラ通信と、データパスがコアネットワークを経由しない直接的な端末間通信であるＤ２Ｄ通信と、をサポートする移動通信システムにおいて用いられるネットワーク装置は、前記移動通信システムが利用可能な無線リソースの中から、前記Ｄ２Ｄ通信のために確保するＤ２Ｄ無線リソースを設定する制御部を有する。前記制御部は、前記Ｄ２Ｄ無線リソースが適切な量になるように、前記Ｄ２Ｄ無線リソースの量を変更する。
2014129357.tif 000002
【特許請求の範囲】
【請求項１】
データパスがコアネットワークを経由するセルラ通信と、データパスがコアネットワークを経由しない直接的な端末間通信であるＤ２Ｄ通信と、をサポートする移動通信システムにおいて用いられるネットワーク装置であって、
前記移動通信システムが利用可能な無線リソースの中から、前記Ｄ２Ｄ通信のために確保するＤ２Ｄ無線リソースを設定する制御部を有し、
前記制御部は、前記Ｄ２Ｄ無線リソースが適切な量になるように、前記Ｄ２Ｄ無線リソースの量を変更することを特徴とするネットワーク装置。
【請求項２】
前記適切な量は、前記セルラ通信及び／又は前記Ｄ２Ｄ通信により送信されるトラフィックの量に応じて定められることを特徴とする請求項１に記載のネットワーク装置。
【請求項３】
前記適切な量は、前記セルラ通信及び／又は前記Ｄ２Ｄ通信により送信されるトラフィックに要求されるＱｏＳレベルに応じて定められることを特徴とする請求項１に記載のネットワーク装置。
【請求項４】
前記適切な量は、時間帯に応じて定められることを特徴とする請求項１に記載のネットワーク装置。
【請求項５】
前記ネットワーク装置は、１又は複数のセルを管理しており、
前記制御部は、前記Ｄ２Ｄ無線リソースの量をセル単位で変更することを特徴とする請求項１に記載のネットワーク装置。
【請求項６】
前記制御部は、前記１又は複数のセルに含まれる所定セルにおける前記Ｄ２Ｄ無線リソースの量を変更する場合に、当該変更に関する情報を、前記所定セルに隣接する隣接セルに通知することを特徴とする請求項５に記載のネットワーク装置。
【請求項７】
前記ネットワーク装置は、前記Ｄ２Ｄ通信を行う複数のユーザ端末からなるクラスタにおいて前記Ｄ２Ｄ通信を制御するユーザ端末であり、
前記制御部は、前記クラスタにおける前記Ｄ２Ｄ無線リソースの量を変更することを特徴とする請求項１に記載のネットワーク装置。
【請求項８】
前記制御部は、前記クラスタにおける前記Ｄ２Ｄ無線リソースの量を変更する場合に、当該変更に関する情報を、前記クラスタとは異なる他のクラスタに属する他のユーザ端末に通知することを特徴とする請求項７に記載のネットワーク装置。
【請求項９】
データパスがコアネットワークを経由するセルラ通信と、データパスがコアネットワークを経由しない直接的な端末間通信であるＤ２Ｄ通信と、をサポートする移動通信システムにおいて用いられる通信制御方法であって、
ネットワーク装置が、前記移動通信システムが利用可能な無線リソースの中から、前記Ｄ２Ｄ通信のために確保するＤ２Ｄ無線リソースを設定するステップＡと、
前記ネットワーク装置が、前記Ｄ２Ｄ無線リソースが適切な量になるように、前記Ｄ２Ｄ無線リソースの量を変更するステップＢと、
を有することを特徴とする通信制御方法。
【発明の詳細な説明】
【技術分野】
【０００１】
本発明は、Ｄ２Ｄ通信をサポートする移動通信システムにおいて用いられるネットワーク装置及び通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信では、近接する複数のユーザ端末が、コアネットワークを介さずに直接的な通信を行う。すなわち、Ｄ２Ｄ通信のデータパスはコアネットワークを経由しない。一方、移動通信システムの通常の通信（セルラ通信）のデータパスはコアネットワークを経由する。
【先行技術文献】
【非特許文献】
【０００４】
【非特許文献１】３ＧＰＰ技術報告  「ＴＲ  ２２．８０３  Ｖ１２．０．０」  ２０１２年１２月
【発明の概要】
【０００５】
移動通信システムが利用可能な無線リソースには、限りがある。よって、Ｄ２Ｄ通信のために確保する無線リソースが過多であると、セルラ通信に使用可能な無線リソースが少なくなる、或いはセルラ通信とＤ２Ｄ通信との間の干渉の影響が大きくなるという問題がある。
【０００６】
一方で、Ｄ２Ｄ通信のために確保する無線リソースが過小であると、Ｄ２Ｄ通信を有効活用することが難しいという問題がある。
【０００７】
そこで、本発明は、上述した問題を解決できるネットワーク装置及び通信制御方法を提供する。
【０００８】
実施形態に係るネットワーク装置は、データパスがコアネットワークを経由するセルラ通信と、データパスがコアネットワークを経由しない直接的な端末間通信であるＤ２Ｄ通信と、をサポートする移動通信システムにおいて用いられる。前記ネットワーク装置は、前記移動通信システムに割り当てられた無線リソースの中から、前記Ｄ２Ｄ通信のために確保するＤ２Ｄ無線リソースを設定する制御部を有する。前記制御部は、前記Ｄ２Ｄ無線リソースが適切な量になるように、前記Ｄ２Ｄ無線リソースの量を変更する。
【図面の簡単な説明】
【０００９】
【図１】第１実施形態乃至第３実施形態に係るＬＴＥシステムの構成図である。
【図２】第１実施形態乃至第３実施形態に係るＵＥのブロック図である。
【図３】第１実施形態乃至第３実施形態に係るｅＮＢのブロック図である。
【図４】ＬＴＥシステムにおける無線インターフェイスのプロトコルスタック図である。
【図５】ＬＴＥシステムで使用される無線フレームの構成図である。
【図６】Ｄ２Ｄ通信における直接通信モードを説明するための図である。
【図７】Ｄ２Ｄ通信における局所中継モードを説明するための図である。
【図８】第１実施形態乃至第３実施形態に係る動作環境を説明するための図である。
【図９】専用リソース割当方式を説明するための図である。
【図１０】共用リソース割当方式を説明するための図である。
【図１１】第１実施形態乃至第３実施形態に係るＤ２Ｄ無線リソース量の制御方法を説明するための図である。
【発明を実施するための形態】
【００１０】
［実施形態の概要］
第１実施形態乃至第３実施形態に係るネットワーク装置は、データパスがコアネットワークを経由するセルラ通信と、データパスがコアネットワークを経由しない直接的な端末間通信であるＤ２Ｄ通信と、をサポートする移動通信システムにおいて用いられる。前記ネットワーク装置は、前記移動通信システムが利用可能な無線リソースの中から、前記Ｄ２Ｄ通信のために確保するＤ２Ｄ無線リソースを設定する制御部を有する。前記制御部は、前記Ｄ２Ｄ無線リソースが適切な量になるように、前記Ｄ２Ｄ無線リソースの量を変更する。
【００１１】
前記ネットワーク装置は、基地局であってもよく、基地局の上位ノードであってもよい。第１実施形態乃至第３実施形態では、前記ネットワーク装置が基地局である一例を説明する。
【００１２】
第１実施形態では、前記適切な量は、前記セルラ通信及び／又は前記Ｄ２Ｄ通信により送信されるトラフィックの量に応じて定められる。
【００１３】
第２実施形態では、前記適切な量は、前記セルラ通信及び／又は前記Ｄ２Ｄ通信により送信されるトラフィックに要求されるＱｏＳレベルに応じて定められる。
【００１４】
第３実施形態では、前記適切な量は、時間帯に応じて定められる。
【００１５】
第１実施形態乃至第３実施形態では、前記ネットワーク装置は、１又は複数のセルを管理する。前記制御部は、前記Ｄ２Ｄ無線リソースの量をセル単位で変更する。
【００１６】
第１実施形態乃至第３実施形態では、前記制御部は、前記１又は複数のセルに含まれる所定セルにおける前記Ｄ２Ｄ無線リソースの量を変更する場合に、当該変更に関する情報を、前記所定セルに隣接する隣接セルに通知する。
【００１７】
その他の実施形態では、前記ネットワーク装置は、前記Ｄ２Ｄ通信を行う複数のユーザ端末からなるクラスタにおいて前記Ｄ２Ｄ通信を制御するユーザ端末である。前記制御部は、前記クラスタにおける前記Ｄ２Ｄ無線リソースの量を変更する。
【００１８】
その他の実施形態では、前記制御部は、前記クラスタにおける前記Ｄ２Ｄ無線リソースの量を変更する場合に、当該変更に関する情報を、前記クラスタとは異なる他のクラスタに属する他のユーザ端末に通知する。
【００１９】
第１実施形態乃至第３実施形態に係る通信制御方法は、データパスがコアネットワークを経由するセルラ通信と、データパスがコアネットワークを経由しない直接的な端末間通信であるＤ２Ｄ通信と、をサポートする移動通信システムにおいて用いられる。前記通信制御方法は、ネットワーク装置が、前記移動通信システムが利用可能な無線リソースの中から、前記Ｄ２Ｄ通信のために確保するＤ２Ｄ無線リソースを設定するステップＡと、前記ネットワーク装置が、前記Ｄ２Ｄ無線リソースが適切な量になるように、前記Ｄ２Ｄ無線リソースの量を変更するステップＢと、を有する。
【００２０】
［第１実施形態］
以下、図面を参照して、３ＧＰＰ規格に準拠して構成される移動通信システム（ＬＴＥシステム）にＤ２Ｄ通信を導入する場合の実施形態を説明する。
【００２１】
（ＬＴＥシステム）
図１は、第１実施形態に係るＬＴＥシステムの構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  ＵｎｉｖｅｒｓａｌＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。Ｅ−ＵＴＲＡＮ１０及びＥＰＣ２０は、ＬＴＥシステムのネットワークを構成する。
【００２２】
ＵＥ１００は、移動型の通信装置であり、接続を確立したセル（サービングセル）との無線通信を行う。ＵＥ１００はユーザ端末に相当する。
【００２３】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。
【００２４】
ｅＮＢ２００は、例えば、無線リソース管理（ＲＲＭ）機能と、ユーザデータのルーティング機能と、モビリティ制御及びスケジューリングのための測定制御機能と、を有する。
【００２５】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００２６】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００２７】
次に、ＵＥ１００及びｅＮＢ２００の構成を説明する。
【００２８】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２９】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３０】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３１】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３２】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサとしてもよい。
【００３３】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００３４】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３５】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３６】
図４は、ＬＴＥシステムにおける無線インターフェイスのプロトコルスタック図である。図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００３７】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００３８】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、及び割当リソースブロックを決定するスケジューラを含む。
【００３９】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４０】
ＰＤＣＰレイヤは、ヘッダ圧縮・伸張、及び暗号化・復号化を行う。
【００４１】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００４２】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００４３】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４４】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００４５】
下りリンクにおいて、各サブフレームの先頭数シンボルの区間は、主に制御信号を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できる領域である。また、下りリンクにおいて、各サブフレームには、セル固有参照信号（ＣＲＳ）などの参照信号が分散して配置される。
【００４６】
上りリンクにおいて、各サブフレームにおける周波数方向の両端部は、主に制御信号を伝送するための物理上りリンク制御チャネル（ＰＵＣＣＨ）として使用される制御領域である。また、各サブフレームにおける周波数方向の中央部は、主にユーザデータを伝送するための物理上りリンク共有チャネル（ＰＵＳＣＨ）として使用できる領域である。
【００４７】
（Ｄ２Ｄ通信）
第１実施形態に係るＬＴＥシステムは、直接的なＵＥ間通信であるＤ２Ｄ通信をサポートする。ここでは、Ｄ２Ｄ通信を、ＬＴＥシステムの通常の通信（セルラ通信）と比較して説明する。
【００４８】
セルラ通信は、コアネットワークであるＥＰＣ２０をデータパスが経由する。データパスとは、ユーザデータ（ユーザプレーン）の通信経路である。これに対し、Ｄ２Ｄ通信は、ＵＥ間に設定されるデータパスがＥＰＣ２０を経由しない。よって、ＥＰＣ２０のトラフィック負荷を削減できる。
【００４９】
ＵＥ１００は、近傍に存在する他のＵＥ１００を発見し、Ｄ２Ｄ通信を開始する。Ｄ２Ｄ通信には、直接通信モード及び局所中継モード（Ｌｏｃａｌｌｙ  Ｒｏｕｔｅｄモード）が存在する。
【００５０】
図６は、Ｄ２Ｄ通信における直接通信モードを説明するための図である。図６に示すように、直接通信モードは、データパスがｅＮＢ２００を経由しない。相互に近接するＵＥ１００−１Ｄ及びＵＥ１００−２Ｄは、ｅＮＢ２００のセルにおいて、低送信電力で直接的に無線通信を行う。よって、ＵＥ１００の消費電力の削減、及び隣接セルへの干渉の低減といったメリットを得られる。
【００５１】
図７は、Ｄ２Ｄ通信における局所中継モードを説明するための図である。図７に示すように、局所中継モードは、データパスがｅＮＢ２００を経由するもののＥＰＣ２０を経由しない。すなわち、ＵＥ１００−１Ｄ及びＵＥ１００−２Ｄは、ｅＮＢ２００のセルにおいて、ＥＰＣ２０を介さずにｅＮＢ２００を介して無線通信を行う。局所中継モードは、ＥＰＣ２０のトラフィック負荷を削減できるものの、直接通信モードに比べてメリットが少ない。よって、第１実施形態では、直接通信モードを主として想定する。
【００５２】
（第１実施形態に係る動作）
第１実施形態では、Ｄ２Ｄ通信がＬＴＥシステムの周波数帯域（ライセンスバンド）内で行われるケースを想定する。このようなケースでは、ネットワークの管理下でＤ２Ｄ通信が行われる。
【００５３】
図８は、第１実施形態に係る動作環境を説明するための図である。図８に示すように、ＵＥ１００−Ｃは、ｅＮＢ２００のセルにおいてセルラ通信を行うセルラＵＥ（セルラ端末）である。接続状態にあるセルラＵＥ１００−Ｃは、ｅＮＢ２００から割り当てられる無線リソースを用いて、セルラ通信を行う。セルラＵＥ１００−Ｃは、ユーザデータ及び制御信号をｅＮＢ２００と送受信する。
【００５４】
ＵＥ１００−１Ｄ及びＵＥ１００−２Ｄは、ｅＮＢ２００のセルにおいてＤ２Ｄ通信を行うＤ２Ｄ  ＵＥ（Ｄ２Ｄ端末）である。接続状態にあるＤ２Ｄ  ＵＥ１００−１Ｄ及びＤ２Ｄ  ＵＥ１００−２Ｄは、ｅＮＢ２００から割り当てられる無線リソースを用いて、Ｄ２Ｄ通信を行う。Ｄ２Ｄ  ＵＥ１００−１Ｄ及びＤ２Ｄ  ＵＥ１００−２Ｄは、ユーザデータを相互に送受信し、制御信号をｅＮＢ２００と送受信する。
【００５５】
このように、第１実施形態では、セルラＵＥ１００−ＣとＤ２Ｄ  ＵＥ１００−Ｄ（ＵＥ１００−１Ｄ及びＵＥ１００−２Ｄ）とが同一セルに在圏する。ただし、Ｄ２Ｄ通信を行うＤ２Ｄ  ＵＥ群に含まれる一部のＤ２Ｄ  ＵＥは、他のセルに在圏してもよく、圏外であってもよい。
【００５６】
ＬＴＥシステムの周波数帯域内でＤ２Ｄ通信を行う場合に、Ｄ２Ｄ通信に割り当てるための無線リソースを確保するためには、専用リソース割当方式及び共用リソース割当方式の２通りの方式がある。
【００５７】
図９は、専用リソース割当方式を説明するための図である。図９に示すように、専用リソース割当方式は、Ｄ２Ｄ通信用の無線リソース（Ｄ２Ｄ無線リソース）を、セルラ通信用の無線リソース（セルラ無線リソース）と共用させない方式である。図９の例では、３サブフレーム分の無線リソース（具体的には、時間・周波数リソース）のうち、中央のサブフレームにおける中央の数リソースブロックがＤ２Ｄ無線リソースとして確保されている。この場合、Ｄ２Ｄ無線リソースは、Ｄ２Ｄ通信に専用の無線リソースである。専用リソース割当方式によれば、セルラ通信とＤ２Ｄ通信との間の干渉を回避できるものの、セルラ無線リソースが相対的に減少するため、無線リソースの利用効率が悪いという問題がある。
【００５８】
図１０は、共用リソース割当方式を説明するための図である。図１０に示すように、共用リソース割当方式は、Ｄ２Ｄ無線リソースをセルラ無線リソースと共用させる方式である。図１０の例では、３サブフレーム分の無線リソースのうち、中央のサブフレームにおける中央の数リソースブロックは、セルラ無線リソースとして使用されるだけでなく、Ｄ２Ｄ無線リソースとしても使用される。この場合、Ｄ２Ｄ無線リソースは、セルラ通信と共用の無線リソースである。Ｄ２Ｄ無線リソースは、セルラ無線リソースと空間的に分離される。共用リソース割当方式によれば、無線リソースの利用効率が高いものの、セルラ通信とＤ２Ｄ通信との間で干渉が生じ易い、すなわち、通信品質が劣化し易いという問題がある。
【００５９】
なお、専用リソース割当方式又は共用リソース割当方式の何れにおいても、Ｄ２Ｄ無線リソースを上りリンクのセルラ無線リソース内に設ける場合と、Ｄ２Ｄ無線リソースを下りリンクのセルラ無線リソース内に設ける場合と、これらを併用する場合と、がある。以下においては、Ｄ２Ｄ無線リソースを上りリンクのセルラ無線リソース内に設ける場合を主として想定する。
【００６０】
第１実施形態では、ｅＮＢ２００は、専用リソース割当方式又は共用リソース割当方式により、Ｄ２Ｄ通信のために確保するＤ２Ｄ無線リソースを設定する。そして、ｅＮＢ２００は、確保されているＤ２Ｄ無線リソースの中から、Ｄ２Ｄ  ＵＥ１００−Ｄに対して無線リソースを割り当てる。
【００６１】
ここで、専用リソース割当方式においてＤ２Ｄ無線リソースが過多であると、セルラ通信に使用可能な無線リソースが少なくなる。また、共用リソース割当方式においてＤ２Ｄ無線リソースが過多であると、セルラ通信とＤ２Ｄ通信との間の干渉の影響が大きくなる。一方で、専用リソース割当方式又は共用リソース割当方式においてＤ２Ｄ無線リソースが過小であると、Ｄ２Ｄ通信を有効活用することが難しい。
【００６２】
そこで、ｅＮＢ２００は、Ｄ２Ｄ無線リソースが適切な量になるように、Ｄ２Ｄ無線リソースの量を変更する。第１実施形態では、Ｄ２Ｄ無線リソースの適切な量は、セルラ通信及び／又はＤ２Ｄ通信により送信されるトラフィックの量に応じて定められる。ここでトラフィックとは、主にユーザデータを意味する。
【００６３】
ｅＮＢ２００のセルにおいて接続状態の各セルラＵＥ１００−Ｃは、自身の送信バッファ量（すなわち、送信待ちトラフィック量）を示すバッファ状態報告（ＢＳＲ）をｅＮＢ２００に送信する。ｅＮＢ２００は、各セルラＵＥ１００−ＣについてＢＳＲが示す送信バッファ量を積算することで、セルラ通信により送信されるトラフィックの量（以下、セルラトラフィック量）を把握する。なお、Ｄ２Ｄ無線リソースを下りリンクのセルラ無線リソース内に設ける場合には、ｅＮＢ２００は、自身の送信バッファ量をセルラトラフィック量として把握すればよい。
【００６４】
また、ｅＮＢ２００のセルにおいて接続状態の各Ｄ２Ｄ  ＵＥ１００−Ｄは、自身の送信バッファ量を示すＤ２Ｄバッファ状態報告（Ｄ２Ｄ−ＢＳＲ）をｅＮＢ２００に送信する。ｅＮＢ２００は、各Ｄ２Ｄ  ＵＥ１００−ＤについてＤ２Ｄ−ＢＳＲが示す送信バッファ量を積算することで、Ｄ２Ｄ通信により送信されるトラフィックの量（以下、Ｄ２Ｄトラフィック量）を把握できる。
【００６５】
例えば、ｅＮＢ２００は、第１の方法として、Ｄ２Ｄトラフィック量が少なければＤ２Ｄ無線リソースの量（以下、Ｄ２Ｄ無線リソース量）を減少させ、Ｄ２Ｄトラフィック量が多ければＤ２Ｄ無線リソース量を増加させる。
【００６６】
或いは、ｅＮＢ２００は、第２の方法として、セルラトラフィック量が少なければＤ２Ｄ無線リソース量を増加させ、セルラトラフィック量が多ければＤ２Ｄ無線リソース量を減少させる。
【００６７】
或いは、ｅＮＢ２００は、第３の方法として、トラフィック総量に対するＤ２Ｄトラフィック量の割合が少なければＤ２Ｄ無線リソース量を減少させ、当該割合が多ければＤ２Ｄ無線リソース量を増加させる。
【００６８】
図１１は、第１実施形態に係るＤ２Ｄ無線リソース量の制御方法を説明するための図である。ここでは、上述した第３の方法の具体例を説明する。
【００６９】
図１１に示すように、ｅＮＢ２００のセルにおいて、セルラＵＥ１００−１Ｃ乃至１００−３Ｃがセルラ通信を行っており、Ｄ２Ｄ  ＵＥ１００−１Ｄ乃至１００−４ＤがＤ２Ｄ通信を行っている。
【００７０】
第１に、ｅＮＢ２００は、各セルラＵＥ１００−Ｃから受信するＢＳＲに基づいて、セルラトラフィック量（送信バッファ総量）を把握する。また、ｅＮＢ２００は、各Ｄ２Ｄ  ＵＥ１００−Ｄから受信するＤ２Ｄ−ＢＳＲに基づいて、Ｄ２Ｄトラフィック量（送信バッファ総量）を把握する。
【００７１】
第２に、ｅＮＢ２００は、セルラトラフィック量とＤ２Ｄトラフィック量との和をトラフィック総量として算出する。そして、ｅＮＢ２００は、トラフィック総量に対するＤ２Ｄトラフィック量の割合Ｐ（＝Ｄ２Ｄトラフィック量／トラフィック総量）を算出する。
【００７２】
第３に、ｅＮＢ２００は、算出した割合Ｐを閾値と比較し、比較結果に応じてＤ２Ｄ無線リソース量を決定する。Ｄ２Ｄリソース量を何段階で変更するかにより閾値の数は異なる。例えば、Ｄ２Ｄ無線リソース量をＲ０、Ｒ１、Ｒ２（Ｒ０＜Ｒ１＜Ｒ２）の３段階で変更する場合、Ｔｈ０、Ｔｈ１（Ｔｈ０＜Ｔｈ１）の２つの閾値を設けて、以下のようにＤ２Ｄ無線リソース量を決定できる。
【００７３】
Ｒ０  (Ｐ＜Ｔｈ０)
Ｒ１  (Ｔｈ０≦Ｐ＜Ｔｈ１)
Ｒ２  (Ｔｈ１≦Ｐ)
【００７４】
或いは、Ｄ２Ｄ無線リソースの候補をリソースＡ、Ｂ、Ｃの３つ用意し、「Ｐ＜Ｔｈ０の場合はＡをＯＮ」、「Ｔｈ０≦Ｐ＜Ｔｈ１の場合はＡ、ＢをＯＮ」、「Ｔｈ１≦Ｐの場合はＡ、Ｂ、ＣをＯＮ」とする方法であってもよい。
【００７５】
第４に、ｅＮＢ２００は、決定したＤ２Ｄ無線リソース量がそれまでの量とは異なる場合に、決定したＤ２Ｄ無線リソース量に変更する。
【００７６】
従って、第１実施形態によれば、ｅＮＢ２００は、トラフィックの状況に応じて、Ｄ２Ｄ無線リソース量を適切な量に設定できるため、セルラ通信及びＤ２Ｄ通信の全体的なスループットを改善できる。また、ｅＮＢ２００は、Ｄ２Ｄ無線リソース量をセル単位で変更することにより、セルごとにＤ２Ｄ無線リソース量を最適化できる。
【００７７】
［第２実施形態］
以下、第２実施形態について、上述した第１実施形態との相違点を説明する。第２実施形態に係るｅＮＢ２００は、第１実施形態と同様に、Ｄ２Ｄ無線リソースが適切な量になるようにＤ２Ｄ無線リソースの量を変更する。
【００７８】
ただし、第２実施形態では、Ｄ２Ｄ無線リソースの適切な量は、セルラ通信及び／又はＤ２Ｄ通信により送信されるトラフィックに要求されるＱｏＳ（Ｑｕａｌｉｔｙ  ｏｆ  Ｓｅｒｖｉｃｅ）レベルに応じて定められる。その他の点については、第１実施形態と同様である。
【００７９】
第２実施形態に係るＤ２Ｄ無線リソース量の制御方法について、図１１を参照して説明する。
【００８０】
第１に、ｅＮＢ２００のセルにおいて接続状態の各セルラＵＥ１００−Ｃは、自身のトラフィックに要求されるＱｏＳレベルごとの送信バッファ量を示すＢＳＲをｅＮＢ２００に送信する。また、ｅＮＢ２００のセルにおいて接続状態の各Ｄ２Ｄ  ＵＥ１００−Ｄは、自身のトラフィックに要求されるＱｏＳレベルごとの送信バッファ量を示すＤ２Ｄ−ＢＳＲをｅＮＢ２００に送信する。
【００８１】
第２に、ｅＮＢ２００は、各セルラＵＥ１００−Ｃから受信するＢＳＲに基づいて、所定レベル以上のＱｏＳレベルを有する送信バッファ量（例えば、リアルタイムパケット量）を積算し、高ＱｏＳセルラトラフィック量を把握する。また、ｅＮＢ２００は、各Ｄ２Ｄ  ＵＥ１００−Ｄから受信するＤ２Ｄ−ＢＳＲに基づいて、所定レベル以上のＱｏＳレベルを有する送信バッファ量を積算し、高ＱｏＳ  Ｄ２Ｄトラフィック量を把握する。
【００８２】
第３に、ｅＮＢ２００は、高ＱｏＳセルラトラフィック量と高ＱｏＳ  Ｄ２Ｄトラフィック量との和を高ＱｏＳトラフィック総量として算出する。そして、ｅＮＢ２００は、高ＱｏＳトラフィック総量に対する高ＱｏＳ  Ｄ２Ｄトラフィック量の割合Ｐ（＝高ＱｏＳ  Ｄ２Ｄトラフィック量／高ＱｏＳトラフィック総量）を算出する。
【００８３】
第４に、ｅＮＢ２００は、算出した割合Ｐを閾値と比較し、比較結果に応じてＤ２Ｄ無線リソース量を決定する。Ｄ２Ｄリソース量を何段階で変更するかにより閾値の数は異なる。例えば、Ｄ２Ｄ無線リソース量をＲ０、Ｒ１、Ｒ２（Ｒ０＜Ｒ１＜Ｒ２）の３段階で変更する場合、Ｔｈ０、Ｔｈ１（Ｔｈ０＜Ｔｈ１）の２つの閾値を設けて、以下のようにＤ２Ｄ無線リソース量を決定できる。
【００８４】
Ｒ０  (Ｐ＜Ｔｈ０)
Ｒ１  (Ｔｈ０≦Ｐ＜Ｔｈ１)
Ｒ２  (Ｔｈ１≦Ｐ)
【００８５】
或いは、Ｄ２Ｄ無線リソースの候補をリソースＡ、Ｂ、Ｃの３つ用意し、「Ｐ＜Ｔｈ０の場合はＡをＯＮ」、「Ｔｈ０≦Ｐ＜Ｔｈ１の場合はＡ、ＢをＯＮ」、「Ｔｈ１≦Ｐの場合はＡ、Ｂ、ＣをＯＮ」とする方法であってもよい。
【００８６】
第５に、ｅＮＢ２００は、決定したＤ２Ｄ無線リソース量がそれまでの量とは異なる場合に、決定したＤ２Ｄ無線リソース量に変更する。
【００８７】
従って、第２実施形態によれば、ｅＮＢ２００は、高ＱｏＳトラフィックの状況に応じて、Ｄ２Ｄ無線リソース量を適切な量に設定できるため、セルラ通信及びＤ２Ｄ通信の全体的なスループットを改善できるとともに、ユーザエクスペリエンスを向上させることができる。また、ｅＮＢ２００は、Ｄ２Ｄ無線リソース量をセル単位で変更することにより、セルごとにＤ２Ｄ無線リソース量を最適化できる。
【００８８】
［第２実施形態の変更例］
高ＱｏＳトラフィック量（高ＱｏＳ送信バッファ量）に基づいてＤ２Ｄ無線リソース量を変更する方法に限らず、次のような方法も採用可能である。
【００８９】
本変更例では、ｅＮＢ２００は、要求されるＱｏＳレベルの高いトラフィックを有するセルラＵＥ１００−Ｃの数（以下、高ＱｏＳセルラＵＥ数）、及び／又は、要求されるＱｏＳレベルの高いトラフィックを有するＤ２Ｄ  ＵＥ１００−Ｃの数（以下、高ＱｏＳ  Ｄ２Ｄ  ＵＥ数）に基づいて、Ｄ２Ｄ無線リソース量を変更する。
【００９０】
例えば、ｅＮＢ２００は、高ＱｏＳ  Ｄ２Ｄ  ＵＥ数が少なければＤ２Ｄ無線リソース量を減少させ、高ＱｏＳ  Ｄ２Ｄ  ＵＥ数が多ければＤ２Ｄ無線リソース量を増加させてもよい。或いは、ｅＮＢ２００は、高ＱｏＳセルラＵＥ数が少なければＤ２Ｄ無線リソース量を増加させ、高ＱｏＳセルラＵＥ数が多ければＤ２Ｄ無線リソース量を減少させてもよい。或いは、ｅＮＢ２００は、上述した第２実施形態と同様に、高ＱｏＳ  ＵＥ総数に対する高ＱｏＳ  Ｄ２Ｄ  ＵＥ数の割合に応じてＤ２Ｄ無線リソース量を変更してもよい。
【００９１】
なお、本変更例では、ｅＮＢ２００は、必ずしもＢＳＲ（及びＤ２Ｄ−ＢＳＲ）を利用しなくてもよい。例えば、ＵＥ１００はＱｏＳレベルに応じた無線ベアラを確立するため、ｅＮＢ２００は、各ＵＥ１００のベアラ属性により、ＱｏＳレベルを把握してもよい。
【００９２】
［第３実施形態］
以下、第３実施形態について、上述した第１実施形態との相違点を説明する。
第３実施形態に係るｅＮＢ２００は、第１実施形態と同様に、Ｄ２Ｄ無線リソースが適切な量になるようにＤ２Ｄ無線リソースの量を変更する。
【００９３】
ただし、第３実施形態では、Ｄ２Ｄ無線リソースの適切な量は、時間帯に応じて定められる。その他の点については、第１実施形態と同様である。
【００９４】
第３実施形態に係るＤ２Ｄ無線リソース量の制御方法について、図１１を参照して説明する。
【００９５】
第１に、ｅＮＢ２００は、時間帯ごとのＤ２Ｄ無線リソース量の予定を示す予定情報を記憶する。予定情報は、ｅＮＢ２００の上位ノードが設定してもよく、ユーザ操作に応じて設定してもよい。ここでは、ｅＮＢ２００が、小セルを管理する屋内型基地局（ＨｅＮＢ）である場合を想定する。オフィス用内線としてＤ２Ｄ対応ＵＥを契約・導入しており、０８：００〜２１：００(Ｄ２Ｄ内線契約)、２１：００〜０８：００(Ｄ２Ｄ内線契約なし)というような契約内容であった場合、０８：００〜２１：００はＤ２Ｄ無線リソース量を多くし、２１：００〜０８：００はＤ２Ｄ無線リソース量を少なくするよう予定される。
【００９６】
第２に、ｅＮＢ２００は、記憶した予定情報に基づいて、時間帯ごとにＤ２Ｄ無線リソース量を変更する。
【００９７】
従って、第３実施形態によれば、ｅＮＢ２００は、簡単な方法でＤ２Ｄ無線リソース量を適切な量に設定できる。なお、ｅＮＢ２００は、予定されたＤ２Ｄ無線リソース量を初期値とし、上述した各実施形態で説明した方法を用いて当該初期値を補正してもよい。
【００９８】
［その他の実施形態］
上述した各実施形態では、ライセンスバンドが１つの周波数帯（バンド）であるケースであったが、これに限られない。ライセンスバンドが複数の周波数帯であってもよい。具体的には、ｅＮＢ２００は、複数の周波数帯（２ＧＨｚ帯、８００ＭＨｚ帯など）を管理している場合、複数の周波数帯における無線リソースの中から、Ｄ２Ｄ無線リソースを設定してもよい。例えば、ｅＮＢ２００は、ＵＥ１００が在圏するセルが属する周波数帯（例えば、８００ＭＨｚ帯）と異なる周波数帯（例えば、２ＧＨｚ帯）における無線リソースをＤ２Ｄ無線リソースとして設定してもよい。
【００９９】
また、上述した各実施形態では、ＬＴＥシステムの周波数帯域（ライセンスバンド）内の無線リソースの中からＤ２Ｄ無線リソースが設定されていたが、これに限られない。例えば、移動通信システムを含む特定のシステムに割り当てられていない周波数帯域（いわゆる、アンライセンスバンド）内の無線リソース及び（能動的に）使用されていない周波数帯域（いわゆる、ホワイトスペース）内の無線リソースの中からＤ２Ｄ無線リソースが設定されてもよい。ＬＴＥシステムにおいて、これらの周波数帯域が利用可能である場合、ｅＮＢ２００は、これらの周波数帯域（及び／又はライセンスバンド）内の無線リソースの中からＤ２Ｄ無線リソースを設定し、Ｄ２Ｄ無線リソースが適切な量になるように、Ｄ２Ｄ無線リソースの量を変更してもよい。
【０１００】
上述した各実施形態ではセル間協調について特に触れなかったが、Ｄ２Ｄ無線リソース量の情報をセル間で共有してもよい。ｅＮＢ２００は、自セルにおけるＤ２Ｄ無線リソース量を変更する場合に、自セルに隣接するセル（隣接セル）に対して、当該変更に関する情報を通知する。例えば、ｅＮＢ２００は、隣接セルを管理する他のｅＮＢ２００に対して、変更後のＤ２Ｄ無線リソース量を示す情報をＸ２インターフェイス上又はＳ１インターフェイス上で送信する。Ｄ２Ｄ無線リソース量の情報をセル間で共有する場合、自セルのＤ２Ｄ無線リソース量を変更するか否かの判断、又は自セルの適切なＤ２Ｄ無線リソース量の判断において、隣接セルのＤ２Ｄ無線リソース量を考慮に入れてもよい。或いは、隣接セルでのＤ２Ｄ無線リソース量を把握することで、自セルのセルラ通信との間の干渉を推定することもできる。
【０１０１】
さらに、セル間で共有するＤ２Ｄ無線リソース量の情報は、Ｄ２Ｄ無線リソースの位置（時間方向における位置、周波数方向における位置）を含んでもよい。これにより、自セル（セル１）のＤ２Ｄ無線リソースの位置を決定する際に、隣接セル（セル２）でのＤ２Ｄ無線リソースの位置を考慮に入れることができる。或いは、セル１からセル２に対してＤ２Ｄ無線リソースの位置の変更要求を行い、セル２における判断結果（Ｙｅｓ、Ｎｏ）をセル１に通知してもよい。
【０１０２】
上述した各実施形態では、Ｄ２Ｄ無線リソースの量をｅＮＢ２００が変更する一例を説明したが、Ｄ２Ｄ無線リソースの量をｅＮＢ２００の上位ノード（例えば、ＭＭＥ）が変更してもよい。
【０１０３】
また、上述した各実施形態では、Ｄ２Ｄ通信における直接通信モードを主として説明したが、直接通信モードに代えて又は直接通信モードに加えて、局所中継モードを適用してもよい。
【０１０４】
上述した各実施形態において、複数のＤ２Ｄ  ＵＥは、Ｄ２Ｄ無線リソース（Ｄ２Ｄ通信に専用の無線リソース及び／又はセルラ通信と共用の無線リソース）を共用することができる。従って、複数のＤ２Ｄ  ＵＥのそれぞれは、互いに空間的に分離されたＤ２Ｄ無線リソースを用いて、Ｄ２Ｄ通信を行うことができる。また、相互に近接する複数のＵＥからなるＤ２Ｄ  ＵＥ群（以下、「クラスタ」と称する）が複数存在する場合、複数のクラスタは、同様に、Ｄ２Ｄ無線リソースを共用することができる。以下において、クラスタにおける同期の基準となり、当該クラスタにおいてＤ２Ｄ通信を制御するＵＥを「クラスタヘッド」と称する。
【０１０５】
クラスタヘッドは、Ｄ２Ｄ通信に専用の無線リソースの中から、以下の専用リソース割当方式又は共用リソース割当方式により、クラスタヘッドが属するクラスタにおけるＤ２Ｄ通信のために確保する無線リソースを設定してもよい。そして、クラスタヘッドは、確保されている無線リソースの中から、当該クラスタに属するＤ２Ｄ  ＵＥに対して無線リソースを割り当ててもよい。
【０１０６】
ここで、クラスタヘッドが用いる専用リソース割当方式は、上述した実施形態とは異なり、クラスタヘッドが属するクラスタにおいて用いられるＤ２Ｄ通信用の無線リソース（クラスタ用無線リソース）を、他のクラスタにおいて用いられるＤ２Ｄ通信用の無線リソース（他のクラスタ用無線リソース）と共用させない方式である。一方、クラスタヘッドが用いる共用リソース割当方式は、上述した実施形態とは異なり、クラスタ用無線リソースを、他のクラスタ用無線リソースと共用させる方式である。
【０１０７】
クラスタヘッドは、クラスタ用無線リソースが適切な量になるように、クラスタ用無線リソースの量を変更できる。クラスタ用無線リソースの適切な量は、上述した各実施形態と同様に、Ｄ２Ｄ通信により送信されるトラフィックの量、Ｄ２Ｄ通信により送信されるトラフィックに要求されるＱｏＳ、及び時間帯の少なくともいずれかに応じて定められる。
【０１０８】
また、クラスタヘッドは、Ｄ２Ｄ通信に専用の無線リソースの中から、以下の専用のリソース割当方式又は共用リソース割当方式により、クラスタヘッドが属するクラスタを構成する複数のＤ２Ｄ  ＵＥのうち、所定のＵＥのＤ２Ｄ通信のために確保する無線リソースを設定してもよい。そして、クラスタヘッドは、確保されている無線リソースの中から、当該クラスタに属するＤ２Ｄ  ＵＥに対して、無線リソースを割り当ててもよい。
【０１０９】
ここでの専用リソース割当方式は、所定のＵＥが用いるＤ２Ｄ通信用の無線リソースを、当該クラスタに属する他のＵＥが用いるＤ２Ｄ通信用の無線リソースと共用させない方式である。一方、共用リソース割当方式は、所定のＵＥが用いるＤ２Ｄ通信用の無線リソースを、当該クラスタに属する他のＵＥが用いるＤ２Ｄ通信用の無線リソースと共用させる方式である。
【０１１０】
クラスタヘッドは、上述と同様に、所定のＵＥが用いるＤ２Ｄ通信用の無線リソースの量が適切な量になるように、当該無線リソースの量を変更できる。なお、クラスタヘッドは、クラスタを構成する複数のＤ２Ｄ  ＵＥのそれぞれを、所定のＵＥとして、無線リソースを割り当ててもよい。
【０１１１】
また、上述したセル間協調と同様に、クラスタにおけるＤ２Ｄ無線リソース量の情報をクラスタ間で共有してもよい。クラスタヘッドは、自身が属するクラスタにおけるＤ２Ｄ無線リソース量を変更する場合、当該クラスタと異なる他のクラスタ（例えば、隣接するクラスタ）に対して、当該変更に関する情報を通知する。例えば、クラスタヘッド１００−１は、他のクラスタに属するクラスタヘッド１００−２に対して、Ｄ２Ｄ通信によって、変更後のＤ２Ｄ無線リソース量を示す情報を送信する。或いは、クラスタヘッド１００−１は、ｅＮＢ２００を経由して、変更後のＤ２Ｄ無線リソース量を示す情報をクラスタヘッド１００−２に対して送信してもよい。
【０１１２】
Ｄ２Ｄ無線リソース量の情報をクラスタ間で共有する場合、クラスタヘッド１００−１は、自クラスタにおけるＤ２Ｄ無線リソース量を変更するか否かの判断、又は自クラスタにおける適切なＤ２Ｄ無線リソース量の判断において、他のクラスタにおけるＤ２Ｄ無線リソース量を考慮に入れてもよい。或いは、クラスタヘッド１００−１は他のクラスタでのＤ２Ｄ無線リソース量を把握することで、他のクラスタとの間の干渉を推定することもできる。
【０１１３】
さらに、クラスタ間で共有するＤ２Ｄ無線リソース量の情報は、Ｄ２Ｄ無線リソースの位置（時間方向における位置、周波数方向における位置）を含んでもよい。
【０１１４】
上述した各実施形態では、本発明をＬＴＥシステムに適用する一例を説明したが、ＬＴＥシステムに限定されるものではなく、ＬＴＥシステム以外のシステムに本発明を適用してもよい。
【０１１５】
なお、米国仮出願第６１／７６６５３６号（２０１３年２月１９日出願）の全内容が、参照により、本願明細書に組み込まれている。
【産業上の利用可能性】
【０１１６】
以上のように、本発明に係るネットワーク装置及び通信制御方法は、Ｄ２Ｄ通信を有効活用できるため、移動通信分野において有用である。
【図１】
2014129357.tif 000003
【図２】
2014129357.tif 000004
【図３】
2014129357.tif 000005
【図４】
2014129357.tif 000006
【図５】
2014129357.tif 000007
【図６】
2014129357.tif 000008
【図７】
2014129357.tif 000009
【図８】
2014129357.tif 000010
【図９】
2014129357.tif 000011
【図１０】
2014129357.tif 000012
【図１１】
2014129357.tif 000013
【国際調査報告】
2014129357.tif 000014
2014129357.tif 000015
2014129357.tif 000016
2014129357.tif 000017